(57)【要約】【課題】  高スチール間摩擦耐久性、優れた金属間極圧性能特性およびシンクロナイザー性能を示す潤滑用流体を提供する。【解決手段】  ベースオイル、スクシンイミド分散剤、スクシンイミド摩擦調節剤およびホスホネートを含む潤滑用流体を用いて、複数の湿式クラッチを装備した二段クラッチトランスミッションを潤滑する。【特許請求の範囲】
【請求項１】
潤滑用流体を用いた二段クラッチトランスミッションの潤滑方法であって、
（ａ）無灰分散剤、
（ｂ）摩擦調節剤、
（ｃ）ホスホネート、
（ｄ）ベースオイル
を含む実質的に無亜鉛の潤滑用流体で二段クラッチトランスミッションを潤滑するステップを有する、二段クラッチトランスミッションの潤滑方法。
【請求項２】
（ａ）無灰分散剤、
（ｂ）摩擦調節剤、
（ｃ）ホスホネートおよび
（ｄ）ベースオイルを含み、
実質的に無亜鉛である、二段クラッチトランスミッション用流体。
【発明の詳細な説明】
【技術分野】
【０００１】
本発明の開示は、潤滑剤と複数の湿式クラッチを有する自動二段クラッチトランスミッションの潤滑方法に関する。
【背景技術】
【０００２】
ダブルクラッチまたはツインクラッチとしても知られる二段クラッチトランスミッションには、様々なダイプが知られている。二段クラッチトランスミッションは、乾式または湿式クラッチを使用することで知られている。流体トルクコンバータを含む湿式クラッチを使用している二段クラッチトランスミッションもある。例えば、２０００年１１月１５日付け特許文献１では、二本あるシャフトに一つずつ割り当てられた、互いに同軸の二つの多重円板クラッチを装備したトランスミッション用の多板クラッチシステムを開示している。この二つのクラッチは、潤滑油を含む密閉されたチャンバーに配置されている。
【０００３】
例えば、フォルクスワーゲン社（Ｖｏｌｋｓｗａｇｅｎ）は、ヨーロッパで自動二段クラッチトランスミッション（ＤＣＴ）を導入した。自動トランスミッションや湿式ブレーキシステムのデザインと性能、および摩擦依存潤滑剤の常時改善には、同時に、自動トランスミッション用流体、湿式ブレーキシステム用流体、および自動トランスミッション用流体と湿式ブレーキ流体の形成に使用される添加剤パッケージ（濃縮）の改善が常に求められる。
【０００４】
ＤＣＴは、二段クラッチを備えた自動ダイレクトシフトギア装置（ＤＳＧ）を有する。これらのＤＣＴは燃費の良さを提供するためにデザインされた。しかしＤＣＴは通常トルクコンバータを含んでいないので、自動マニュアルトランスミッションと異なる。その代わり、マニュアルトランスミッションギアの調整は、二段湿式クラッチの使用により行われる。その結果、ＤＣＴの潤滑に使用される流体の性能条件は、マニュアルトランスミッション用潤滑油と自動トランスミッション用潤滑油双方の要素に関連する。シンクロナイゼーション、極圧化での性能、スチール間摩擦材性能およびスチール／ペーパー間摩擦耐久性のうち一つまたはそれ以上がこれらのＤＣＴには重要である。
【０００５】
特許文献２は、摩擦の削減に必要な量の添加物質を含む潤滑油の組成物を開示した。この添加剤は油溶性脂肪族置換炭化水素スクシンイミド、油溶性脂肪族置換炭化水素スクシンアミドおよび双方の混合物を含み、約１２−３６の炭素原子を含む炭化水素置換基である。自動トランスミッション用流体で使用する類似した摩擦調節剤が、特許文献３乃至１０で開示された。
【０００６】
自動トランスミッション用流体にアミン類から作られた小分子量スクシンイミド摩擦調節剤を使用することが、特許文献１１乃至１７で開示された。
【０００７】
エンジンオイル、自動トランスミッション用流体、ギアオイル、パワートランスミッション用流体など様々な機能流体でのホスホネート（ｐｈｏｓｐｈｏｎａｔｅ）の使用が、特許文献１８乃至２４の一つまたはそれ以上で開示された。
【０００８】
従って、自動二段クラッチトランスミッション（ＤＣＴ）と併せて使用できる潤滑組成物と諸方法の改善技術が必要とされる。
【特許文献１】欧州特許公報ＥＰ  １  ０５２  ４２１  Ａ
【特許文献２】欧州特許出願公開公報ＥＰ  ０  ０２０  ０３７
【特許文献３】米国特許第５，１７１，４６６号
【特許文献４】米国特許第５，３１２，５５５号
【特許文献５】米国特許第５，３２８，６１９号
【特許文献６】米国特許第５，３５８，６５２号
【特許文献７】米国特許第５，４６４，５４９号
【特許文献８】米国特許第５，５０５，８６８号
【特許文献９】米国特許第５，６５２，２０１号
【特許文献１０】米国特許第５，８１７，６０５号
【特許文献１１】米国特許第５，７５０，４７６号
【特許文献１２】米国特許第５，８１１，３７７号
【特許文献１３】米国特許第５，８４０，６６２号
【特許文献１４】米国特許第５，９４２，４７２号
【特許文献１５】米国特許第６，２２５，２６６号
【特許文献１６】米国特許第６，３３７，３０９号
【特許文献１７】欧州特許出願公報ＥＰ  ０  ９７５  ７１４
【特許文献１８】米国特許第４，１５８，６３３号
【特許文献１９】米国特許第４，３２５，８２７号
【特許文献２０】米国特許第３，２０６，４０１号
【特許文献２１】英国特許出願公報ＧＢ１，２４７，５４１
【特許文献２２】国際特許出願公開ＷＯ９８／４７９８９
【特許文献２３】国際特許出願公開ＷＯ９０／０９４２５
【特許文献２４】国際特許出願公開ＷＯ９０／０９３８６
【発明の開示】
【０００９】
［実施例の要約］
【００１０】
第一の側面では、本開示は自動二段クラッチトランスミッションで使用するトランスミッション用添加組成物に関する。本添加組成物は、最低、分散剤、摩擦調節剤およびホスホン酸を含む。本添加組成物は、自動二段クラッチトランスミッションでこのような流体を使用するための性能条件を満たす、自動トランスミッション用流体に効果的である。
【００１１】
他の側面では、添加組成物は、自動二段クラッチトランスミッションで性能条件を満たすのに効果的な自動トランスミッション用流体を提供するためにベースオイルと混合される。
【００１２】
他の側面では、本開示は、本明細書で述べるように多量のベースオイルと添加組成物を含むトランスミッション組成物でトランスミッションを潤滑させることにより、スチール間摩擦を向上させ、スチール／ペーパー間摩擦を安定化し、および／または良好なシンクロナイザー性能を提供する方法に関する。
【００１３】
他の側面では、本開示は、本明細書で述べるように多量のベースオイルと添加組成物を含む潤滑組成物で自動二段クラッチトランスミッションを潤滑させる方法に関する。
【詳細な説明】
【００１４】
第一の側面では、本開示はトランスミッション用流体で使用する添加組成物に関する。添加組成物は、最低、分散剤、摩擦調節剤およびホスホン酸を含む。本添加組成物は、例えば自動二段クラッチトランスミッション（ＤＣＴ）などでこのような流体を使用するための性能条件を満たす自動トランスミッション用流体に適している。本開示の実施例は、スチール間摩擦ならびにスチール／ペーパー間摩擦性能能力、極圧化での性能、およびシンクロナイザー性能の向上を示唆する。特に、本発明は、二段クラッチトランスミッションシステムで使用されるシンタライニングや炭素ライニングなどを用いたシンクロナイゼーションシステムにおける良好なシンクロナイザー性能を提供する。
【００１５】
本発明の組成物の利点の一つは、本質的に無亜鉛ということである。「本質的に無亜鉛」とは、本発明の組成物は亜鉛を不純物として含んでいるかもしれないということであり、これらの組成物は、本発明の組成物の一つまたはそれ以上の成分に多少の不純物として存在する亜鉛や亜鉛化合物を除き、金属亜鉛や亜鉛化合物を加えずに調製されたということである。
【分散剤】
【００１６】
本開示の添加組成物の成分の一つは、一つまたはそれ以上の既存の無灰分散剤である。好適な無灰分散剤は、スクシンイミド分散剤、スクシンアミド分散剤、琥珀酸エステル分散剤、琥珀酸エステルアミド分散剤、マンニッヒ塩基分散剤、あるいは炭化水素アミンまたはポリアミン分散剤など、分子に塩基性窒素および／または最低一つのヒドロキシル基を含むものである。
【００１７】
上述の無灰分散剤の製造方法は、当該者には明らかであり、特許文献に報告されている。例えば、上述の様々な無灰分散剤の合成が、米国特許第２，４５９，１１２、２，９６２，４４２，２，９８４，５５０、３，０３６，００３、３，１６３，６０３、３，１６６，５１６、３，１７２，８９２、３，１８４，４７４、３，２０２，６７８、３，２１５，７０７、３，２１６，９３６、３，２１９，６６６、３，２３６，７７０、３，２５４，０２５、３，２７１，３１０、３，２７２，７４６、３，２７５，５５４、３，２８１，３５７、３，３０６，９０８、３，３１１，５５８、３，３１６，１７７、３，３３１，７７６、３，３４０，２８１、３，３４１，５４２、３，３４６，４９３、３，３５１，５５２、３，３５５，２７０、３，３６８，９７２、３，３８１，０２２、３，３９９，１４１、３，４１３，３４７、３，４１５，７５０、３，４３３，７４４、３，４３８，７５７、３，４４２，８０８、３，４４４，１７０、３，４４８，０４７、３，４４８，０４８、３，４４８，０４９、３，４５１，９３３、３，４５４，４９７、３，４５４，５５５、３，４５４，６０７、３，４５９，６６１、３，４６１，１７２、３，４６７，６６８、３，４９３，５２０、３，５０１，４０５、３，５２２，１７９、３，５３９，６３３、３，５４１，０１２、３，５４２，６８０、３，５４３，６７８、３，５５８，７４３、３，５６５，８０４、３，５６７，６３７、３，５７４，１０１、３，５７６，７４３、３，５８６，６２９、３，５９１，５９８、３，６００，３７２、３，６３０，９０４、３，６３２，５１０、３，６３２，５１１、３，６３４，５１５、３，６４９，２２９、３，６９７，４２８、３，６９７，５７４、３，７０３，５３６、３，７０４，３０８、３，７２５，２７７、３，７２５，４４１、３，７２５，４８０、３，７２６，８８２、３，７３６，３５７、３，７５１，３６５、３，７５６，９５３、３，７９３，２０２、３，７９８，１６５、３，７９８，２４７、３，８０３，０３９、３，８０４，７６３、３，８３６，４７１、３，８６２，９８１、３，９３６，４８０、３，９４８，８００、３，９５０，３４１、３，９５７，８５４、３，９５７，８５５、３，９８０，５６９、３，９９１，０９８、４，０７１，５４８、４，１７３，５４０、４，２３４，４３５、５，１３７，９８０、５，６５２，２０１、およびＲｅ２６，４３３号に開示されており、参照することにより本明細書に組み込まれる。他の好適な分散剤は、例えば米国特許第５，１９８，１３３、５，２５６，３２４、５，３８９，２７３、および５，４３９，６０６号などに開示されており、参照することにより本明細書に組み込まれる。
【００１８】
ある実施例では、無灰分散剤は、イミド基を形成できる、最低一つの第一級アミノ基を含むアミンのアルケニルスクシンイミドから構成される。アルケニルスクシンイミドは、最低一つの第一級アミノ基を含むアミンと共にアルケニル無水琥珀酸、酸、酸エステル、酸ハライドまたは低級アルキルエステルを加熱する従来の方法で形成される。アルケニル無水琥珀酸は、ポリオレフィンと無水マレイン酸の混合物を約１８０−２２０℃に加熱す
ることにより容易に形成できる。ポリオレフィンは、ゲル浸透クロマトグラフィ（ＧＰＣ）により判定された数平均分子量が約９００−３０００のエチレン、プロピレン、イソブテンのような低級モノオレフィンの分子化合物または共重合物である。
【００１９】
無灰分散剤の形成に使用されるアミン類は、イミド基形成に反応する、最低一つの第一級アミノ基および最低一つの第一級または第二級アミノ基および／またはヒドロキシル基を含む。これらの代表的な例は、Ｎ-メチルプロパンジアミン、Ｎ-ドデシルプロパンジアミン、Ｎ-アミノプロピルピペラジン、エタノールアミン、Ｎ-エタノールエチレンジアミンなどである。
【００２０】
好適なアミン類は、プロピレンジアミン、ジプロピレントリアミン、ジ-（１，２-ブチレン）トリアミン、およびテトラ-（１，２-プロピレン）ペンタアミンなどのアルキレンポリアミン類を含む。別の例として、化学式Ｈ２Ｎ（ＣＨ２ＣＨ２ＮＨ）ｎＨで示されるエチレンポリアミンがある。ｎは約１から１０までの整数である。これらは、エチレンジアミン、ジエチレントリアミン、トリエチレンテトラミン、テトラエチレンペンタミン、ペンタエチレンヘキサミン、またはそれらの混合物を含むがその場合はｎは混合物の平均値である。これらのエチレンポリアミン類は、両端に第一級アミノ基を持ち、モノアルケニルスクシンイミド類とビスアルケニルスクシンイミド類を形成する。市販のエチレンポリアミン混合物は、Ｎ-アミノエチルピペラジン、Ｎ，Ｎ’-ジ（アミノエチル）ピペラジン、Ｎ，Ｎ’-ジピペラジニルエタンおよびそれに似た混合物など少量の分岐種と環状種を含む。市販の混合物は、全体的な組成物がほぼジエチレントリアミンとテトラエチレンペンタミンの範囲に収まる。ポリアルケニル無水琥珀酸とポリアルキレンポリアミン類の分子比率は、およそ１：１−２．４：１である。
【００２１】
マンニッヒ塩基無灰分散剤は、長鎖置換炭化水素フェノールの約一分子比率をホルムアルデヒドの約１−２．５分子およびポリアルキレンポリアミンの約０．５−２分子と混合することにより形成される。
【００２２】
ある実施例では、無灰分散剤は、例えば、トリエチレンテトラアミンまたはテトラエチレンペンタミンなどのポリエチレンポリアミンと、ポリイソブテンなど適当な分子重量を持つポリオレフィンと、無水マレイン酸、マレイン酸、フマル酸など、またはこれらの物質の二つもしくはそれ以上の混合物などの不飽和ポリカルボン酸または無水物との反応で発生する炭化水素置換カルボン酸または無水物が反応して発生した生成物を含む。
【００２３】
分散剤は、潤滑組成物の全重量を基準にした約１％−６％の重量で存在する。別の例における分散剤は潤滑組成物（または完成流体）において約２−４重量％の量で存在する。分散剤は添加組成物において約１０−６０重量％の量で存在する。
【ホウ素を含む分散剤】
【００２４】
ある実施例では、添加組成物は、最低ホウ素一つを含有する分散剤を含み、ホウ素を含む分散剤はリンを含まない。ホウ素を含む分散剤は、スクシンイミド分散剤、スクシンアミド分散剤、琥珀酸エステル分散剤、琥珀酸エステルアミド分散剤、マンニッヒ塩基分散剤またはハイドロカルビルアミンもしくはポリアミン分散剤など、分子に塩基性窒素および／または最低一つのヒドロキジル基を含む無灰分散剤をホウ素化することより形成される。ここで記述した様々なタイプの無灰分散剤のホウ素化の方法は、米国特許第３，０８７，９３６、３，２５４，０２５、３，２８１，４２８、３，２８２，９５５、３，３３８，８３２、３，３４４，０６９、３，５３３，９４５、３，６５８，８３６、３，７０３，５３６、３，７１８，６６３、４，４５５，２４３、および４，６５２，３８７に開示されている。
【００２５】
ある実施例ではホウ素を含む分散剤は、例えばホウ素化されたポリイソブチレンスクシンイミド、ビススクシンイミドまたは双方の混合物からなる。ポリイソブチレンは、分子重量が約２１０−１３００ａｍｕ、別の例では約９００−１３００ａｍｕ、さらに別の例では約１２００−１３００ａｍｕである。
【００２６】
ホウ素を含む分散剤は、ホウ素の約０．１−０．７重量％からなる。他の例ではホウ素を含む分散剤は、ホウ素の約０．２５−０．７重量％からなる。
【リンを含む分散剤】
【００２７】
ある実施例では、添加組成物は、リン酸化分散剤などのリンを含む分散剤を最低一つ含む。リンを含有する分散剤は、非ホウ素化分散剤かホウ素化分散剤のどちらかをリン酸化させることにより形成される。
【００２８】
分散剤がリンとホウ素の双方を含有するとき、リンおよびホウ素を含有する分散剤は、リン酸化およびホウ素化されたポリイソブチレンスクシンイミド、ビススクシンイミドまたは双方の混合物を含む。リンおよびホウ素を含む分散剤は、約９００ａｍｕ分子重量をもつポリイソブチレンを含有する。さらに、リンおよびホウ素を含有する分散剤は、ポリイソブチレンスクシンイミドとホウ酸（Ｂ（ＯＨ）３）およびリン（Ｈ３ＰＯ３）の反応物を有する。
【００２９】
ホウ素とリンは、例えば、潤滑組成物（完成流体）においてホウ素およびリンの全体の約２００ｐｐｍの量で存在する。別の例では、潤滑組成物においてホウ素とリン全体の約４００ｐｐｍの量で存在する。
【摩擦調節剤】
【００３０】
添加組成物および／または潤滑組成物は、スチール間摩擦、スチール／ペーパー間摩擦および／またはシンクロナイゼーションの性能など摩擦を改善するのに十分な量の摩擦調節剤を含有している。
【００３１】
本発明に好適な摩擦調節剤は、脂肪族アミンまたはアルコキシル化脂肪族アミン、アルコキシル化エーテルアミン、脂肪酸族カルボン酸、脂肪族脂肪酸アミド、アルコキシル化脂肪族脂肪酸アミド、脂肪族イミダゾリンおよび脂肪族第三級アミンなどの混合物を含む。そのうち、上述の脂肪族基は、油溶性混合物を形成するために通常約８個の炭素原子を含んでいる。また、一つまたはそれ以上の脂肪族琥珀酸または無水物類をアンモニア、ＥＰ−Ａ−０３８９２３７で開示された他の第一級アミン類、または二つまたはそれ以上の摩擦調節剤の混合物と反応させて形成された脂肪族置換スクシンイミドも好適である。本発明の使用に好適である摩擦調節剤は、以下の米国特許第５，３４４，５７９、５，３７２，７３５および５，４４１，６５６に開示されており、摩擦調節剤に関連して参照することにより本明細書に組み込まれる。
【００３２】
好適な摩擦調節剤は、一つまたはそれ以上の油溶性脂肪族炭化水素置換スクシンイミドとその混合物から選択され、そのうち炭化水素置換は、１２−３６の炭素原子を含む。琥珀酸基の脂肪族置換は、アルキル基、アルケニル基および多価不飽和の炭化水素基を含む１２−３６の炭素原子をもつ脂肪族炭化水素基である。これらの摩擦調節剤は以下を含む。
ｎ-ドデシニルスクシンイミド
１-メチルトルデシルスクシンイミド
２-エチルテトラデシルスクシンイミド
ｎ-ヘクサデセニルスクシンイミド
ｎ-オクタデシルスクシンイミド
ｎ-オクタデセニルスクシンイミド
１-メチルエイコシルスクシンイミド
ｎ-ドコセニルスクシンイミド
４-エチルトリアコンチルスクシンイミドおよび
ｎへクタデセニルスクシンイミド
【００３３】
実施例における脂肪族炭化水素基は、第二の炭素原子で琥珀酸基と結合する。これらの化合物の化学式を以下に示す。
【００３４】
【化１】
2006328393.tif 000002
【００３５】
式中、ｎは約２−４の小整数でＺは以下の基を表す。
【００３６】
【化２】
2006328393.tif 000003
【００３７】
Ｒ１とＲ２は、約１−３４個の炭素原子を含む分岐鎖と直鎖の炭化水素基からなるグループから独立して選択され、Ｒ１とＲ２の全炭素原子数は１１−３５個である。
【００３８】
これらの摩擦調節剤の例を以下に挙げる。
１-エステルテトラデシルスクシンイミド
１-メチルペンタデセニルスクシンイミド
１，２-ジメチルオクタデセニルスクシンイミド
１-メチル-３-エチルドデセニルスクシンイミド
１-デシル-２-メチルドトリアコンチルスクシンイミド
別の実施例において、Ｒ１とＲ２は直鎖脂肪族炭化水素基である。これらの摩擦調節剤は潤滑油の溶解性を向上した。これらの摩擦調節剤の例を以下に挙げる。
１-メチルペンタデシルスクシンイミド
１-プロピルトリデセニルスクシンイミド
１-ペンチルトリデセニルスクシンイミド
１-トリデシルペンタデセニルスクシンイミド
１-テトラデシルエイコセニルスクシンイミド
上述の摩擦調節剤は、α-オレフィン類を異性化して内部オレフィン類の混合物を形成し、この内部オレフィン類の混合物をマレイン酸、無水物またはエステルと反応させて中間体を形成し、この中間体をアンモニアと反応させてアミド、イミド、または双方の混合物を形成することにより、約１２−３６個の炭素原子を含む直鎖α-オレフィン類から作成される。異性化された直鎖α-オレフィン類から作成された摩擦調節剤は、直鎖α-オレフィン類から作成された摩擦調節剤に比べて大きく油溶性が改善される。
【００３９】
直鎖α-オレフィン類の異性化は従来の方法を用いて行う。ひとつの好適な方法は、直鎖α-オレフィン類を酸性触媒と加熱させることである。特に効果的な酸性触媒はスルホン化したスチレンジビニルベンゼン共重合体である。このような触媒は入手可能であり、一般的に陽イオン交換樹脂として使用される。本方法では、これらは酸性の形で使用される。直鎖α-オレフィン類の異性化のためのこのような樹脂の使用は、米国特許第４，１
０８，８８９に開示されており、参照することにより本明細書に組み込まれる。
【００４０】
本発明の組成物は２つまたはそれ以上の摩擦調節剤を含有する。例えば、一つまたはそれ以上のスクシンイミド摩擦調節剤と一つまたはそれ以上のアミン摩擦調節剤の混合物が使用される。
【ホスホネート】
【００４１】
本開示の添加組成物は、以下の化学式をもつ、一つまたはそれ以上のホスホネートを含む。
【００４２】
【化３】
2006328393.tif 000004
【００４３】
式中、Ｒ１は、１２−３０個の炭素原子を含むアルキル基またはアルケニル基を表し、Ｒ２とＲ３は、それぞれ独立した水素、アルキル基またはアルケニル基を示す。例として、好適なアルキル基はメチル、エチル、プロピル、イソプロピル、ｎブチル、ｔブチル、イソブチル、またはいずれかの組み合わせである。これらのホスホン酸の例として、ジメチルトリアコンチルホスホン酸、ジメチルトリアコンテニルホスホン酸、ジメチルエイコシルホスホン酸、ジメチルへクタデシルホスホン酸、ジメチルへクタデセニルホスホン酸、ジメチルテトラコンテニルホスホン酸、ジメチルへクタコンテニルホスホン酸、ジメチルドデシニルホスホン酸、ジメチルドデセニルホスホン酸などがある。
【００４４】
一実施例では、Ｒ１は、約１６−２０個の炭素原子を含むアルキル基またはアルケニル基である。これらのホスホン酸の例としてジメチルヘクタデシルホスホン酸、ジメチルへクタデセニルホスホン酸、ジメチルオクタデシルホスホン酸、ジメルオクタデセニルホスホン酸、ジメチルエイコシルホスホン酸などがある。
【００４５】
好適なアルキルホスホン酸モノエステルとその生産工程は、米国特許第２００４-０２３００６８に開示されている。
【００４６】
スチール間摩擦、スチール／ペーパー間摩擦および／またはシンクロナイゼーション性能の改善などの摩擦性能の向上に十分な量のホスホン酸が潤滑組成物に加えられる。好適な濃度は、約０．０５−３重量％である。別の例における好適な濃度は０．１０−０．６重量％である。
【洗浄剤】
【００４７】
ある実施例では、添加組成物に洗浄剤も含まれている。浄化剤は、超塩基性洗浄剤、ホウ素化洗浄剤および／またはホウ素化超塩基性洗浄剤を含む。洗浄剤は、スルホン酸またはフェナートを含む。さらに、洗浄剤はカルシウム含有化合物、マグネシウム含有化合物、ナトリウム含有化合物を含む。洗浄剤は、例えば、カルシウムスルホン酸、マグネシウムスルホン酸、ナトリウムスルホン酸および／またはカルシウムフェナートを含有する。例えば、カルシウムスルホン酸洗浄剤は、約１．５−２０重量％のカルシウムを含み、さらに別の例では、１２−１５重量％のカルシウムを含む。さらに、カルシウムスルホン酸洗浄剤は、約３−４５０ｍｇＫＯＨ（水酸化カリウム）／ｇのアルカリ価を含み、別の例では、約２５０−４００ｍｇＫＯＨ（水酸化カリウム）／ｇ、さらに別の例では、２５０−３５０ｍｇＫＯＨ（水酸化カリウム）／ｇを含んでいる。カルシウムフェネート洗浄剤は、約２．５−８．５重量％または約５重量％のカルシウムを含有する。さらに、カルシウムフェネート洗浄剤は、約５０−３００ｍｇＫＯＨ（水酸化カリウム）／ｇまたは約１５０ｍｇＫＯＨ（水酸化カリウム）／ｇのアルカリ価を含む。
【００４８】
実施例は、上述の洗浄剤に添加またはその代替としてアルカリ金属洗浄剤および／またはアルカリ土類金属洗浄剤を含有する。好適なアルカリおよびアルカリ土類金属洗浄剤は、油溶性の中性または超塩基性のアルカリまたはアルカリ土類金属のスルホン酸、カルボン酸、サリチル酸、アルキルフェノール、硫化アルキルフェノールのうちの一つまたはそれ以上の酸性物質（またはこれらの混合物）との塩を含む。
【００４９】
油溶性の中性アルカリ金属およびアルカリ土類金属含有洗浄剤は、化学量論的に、洗浄剤に存在する酸性部分の量に対して同等量のアルカリとアルカリ土類金属を含む。ゆえに、一般的に、超塩基性対応物と比較すると、中性アルカリおよびアルカリ土類金属洗浄剤の塩基度は低い。超塩基性アルカリおよびアルカリ土類金属含有洗浄剤の調製方法は、技術的に知られており、市場には多くの入手可能な超塩基性洗浄剤がある。
【００５０】
アルカリおよびアルカリ土類金属洗浄剤は、これに限らないが、中性および超塩基性ナトリウムスルホン酸、ナトリウムカルボン酸、ナトリウムサリチル酸、ナトリウムフェネート、硫化ナトリウムフェネート、カルシウムスルホン酸、カルシウムカルボン酸、カルシウムサリチル酸、カルシウムフェネート、硫化カルシウムフェネート、リチウムスルホン酸、リチウムカルボン酸、リチウムサリチル酸、リチウムフェネート、硫化リチウムフェネート、マグネシウムスルホン酸、マグネシウムカルボン酸、マグネシウムサリチル酸、マグネシウムフェネート、硫化マグネシウムフェネート、カリウムスルホン酸、カリウムカルボン酸、カリウムサリチル酸、カリウムフェネートおよび硫化カリウムフェネートを含む。
【００５１】
添加組成物は、パワートランスミッション用流体を提供するためにベースオイルと混合される。このようなパワートランスミッション用流体は完成流体を含む。
【００５２】
別の実施例における自動トランスミッション用流体または二段クラッチトランスミッション用流体は、本明細書で開示した添加組成物を含有する。流体は、最低二つの湿式クラッチを使用するＤＣＴなどの自動二段クラッチトランスミッションに好適である。ある実施例でのトランスミッション用流体は、トルクコンバータを含まないＤＣＴで使用される。
【００５３】
また別の実施例では、スチール間摩擦の向上、スチール／ペーパー間摩擦の安定化および／または良好なシンクロナイザー性能の提供のための方法は、本明細書で記述した多量のベースオイルと添加組成物を含む潤滑組成物でトランスミッションを潤滑するステップを有する。
【００５４】
潤滑用流体は、一つまたはそれ以上の耐摩耗剤、アミン系酸化防止剤またはフェノール系酸化防止剤などの酸化防止剤または酸化防止剤系、腐蝕防止剤または腐蝕防止剤系、金属不活性剤、錆び止め、一つまたはそれ以上の摩擦調節剤、色素、シール膨潤剤、消泡剤、界面活性剤、粘度率改善剤、香料または異臭マスク、およびこれらの好適な組み合わせなど、他の添加物質を含む。
【硫黄含有組成分】
【００５５】
ある実施例では、添加組成物は一つまたはそれ以上の硫黄含有組成分を含む。例えば、添加組成物は、チアジアゾールおよび／または硫化脂肪酸エステルを含む。
【００５６】
好適なチアジアゾールは、これの限りではないが、無灰ジアルキルチアジアゾールを含
むジアルキルチアジアゾールを含む。本発明の実施に適したジアルキルチアジアゾールは、一般化学式（１）で表すことができる。
【００５７】
【化４】
2006328393.tif 000005
【００５８】
式中、Ｒ１とＲ２は、同等もしくは異なるハイドロカルビル基、および／またはＲ１とＲ２のうちの一つが水素であり、ｘとｙはそれぞれ０−８の整数をとる。ある実施例におけるＲ１とＲ２は、同等または異なる、直鎖、分岐鎖、または芳香族の、飽和または不飽和ハイドロカルビル基で、約６−１８個の炭素原子、特に約８−１２個の炭素原子を持ち、ｘとｙは、それぞれ０または１である。
【００５９】
好適なジアルキルチアジアゾールは２，５-ビス（ハイドロカルビルジチオ）-１，３，４-チアジアゾールを含有する。他の好適なジアルキルチアジアゾールの例として、２，５-ビス（ハイドロカルビルチオ）-１，３，４-チアジアゾール、２-（ｔ-ハイドロカルビルジチオ）-５-（メルカプト）-１，３，４-チアジアゾール、およびビス-ｔ-ドデシルチオチアジアゾールがある。
【００６０】
好適なジアルキルチアジアゾールは、米国特許第２，７１９，１２５，２，７１９，１２６，３，０８７，９３２，４，１４９，９８２，４，５９１，６４５，および６，５２８，４５８に開示されたものを含み、参照することにより本明細書に組み込まれる。モノアルキルチアジアゾールを含む化学式（１）のジアルキルチアジアゾールの混合物も、本発明の範囲内で使用される。
【００６１】
本明細書で使用する用語「ハイドロカルビル基」または「ハイドロカルビル」は、一般的に使用され、当業者には明らかである。特に、分子中の残基に直接結合した炭素原子を有し、優勢的な炭化水素特性を有する基を意味する。ハイドロカルビル基は以下を含む。（１）炭化水素置換基、つまり、脂肪族（例、アルキル、アルケニル）、脂環（例、シクロアルキル、シクロアルキニル）置換基、および芳香族／脂肪族／脂環式置換芳香置換基と同様に、環構造が分子の別の部分を通して完結した環状置換基（二つの置換基で脂環式ラジカルを形成する）。
（２）置換炭化水素置換基、つまり、本明細書で述べるような、炭化水素置換基を優勢的に変化させない非炭化水素基を含む置換基（例、ハロ（特にクロロおよびフルオロ）、ヒロドキシ、アルコキシ、メルカプト、アルキルメルカプト、ニトロ、ニトロソおよびフルオキシ）。
（３）ヘテロ置換基、つまり、本明細書で述べるような、優勢的に炭化水素特性を持つが、炭素原子からなる環構造または鎖などに炭素以外のものを含有する置換基。ヘテロ原子には、硫黄、酸素、窒素、およびピリジル、フリル、チエニル、イミダゾリルなどの包囲置換基が含まれる。一般的に、二つ以上、または別の例のように一つ以上の非炭化水素置換基が、ハイドロカルビル基中で炭素原子１０個置きに存在する。通常、ハイドロカルビル基の中に非炭化水素置換基は存在しない。
【００６２】
あるいは、モノ／ジ／ポリ硫化物の形で硫黄部分分子により架橋結合した直鎖Ｃ１４-Ｃ１８飽和または不飽和性鎖モノカルボン酸エステルなどの硫化脂肪酸エステルが使用される。異なる硫黄架橋の相対比率は反応条件と使用された相対的硫黄の量に関わる。脂肪酸硫化の詳細は、Ｌ  ベートマンおよびＣ  Ｇ  ムーア著による「有機硫黄化合物」やＷ
Ａ  プライヤー著の「硫黄反応のメカニズム」などの参考資料に見られる。モノおよびジ硫化物に引用される硫化オレイン酸エステルの全体の重さの約５−１５％の硫黄濃縮を
含む硫化オレイン酸は一つの例示的な成分である。
【００６３】
チアジアゾールや硫化脂肪酸エステルの量は、組成物の全重量に基づいて約０．００７５−０．５重量％硫黄の量が組成物に加えられる。
【ベースオイル】
【００６４】
潤滑油の実施例は多量のベースオイルを含んでよい。本開示のパワートランスミッション用流体への使用が考えられるベースまたは潤滑油は、天然潤滑油、合成潤滑油、および双方の混合物に由来してよい。さらに、ベースオイルは、特定の用途に適したベースオイルまたは複数のベースオイルの混合物を含んでよい。
【００６５】
ある実施例では、添加物質は濃縮された添加物パッケージの形で提供される場合がある。また、ある実施例では、希釈油のような希釈剤を含む場合がある。希釈剤は、添加物パッケージの配合、可溶および運搬を容易にするために含まれている場合がある。希釈剤は、ベースオイルおよび／または添加物パッケージと混合可能であってよい。希釈剤は、濃縮物に好適な量にて存在してよい。好適な希釈剤は、潤滑粘度の加工油を含む場合がある。
【００６６】
適切な活性成分濃度を提供するため、様々なベースオイルに効果的な量で添加物質を配合できる。ベースオイルは、石油（または油砂、石炭、シェールなど）から抽出された潤滑粘度の油だけでなく、ナタネ油などの適した粘度をもつ天然油、水添ポリオレフィン油などの合成油、ポリ−α-オレフィン（例、水素化ポリ１デセン油などの水素化または非水素化α-オレフィンオリゴマー）、ジカルボン酸のアルキルエステル、ジカルボン酸の複合エステル、ポリグリコールおよびアルコール、炭酸またはリン酸のアルキルエステル、ポリシリコン、フルオロ炭化水素油、およびいかなる割合のミネラル、天然および／または合成油の混合物でもよい。本開示における「ベースオイル」という用語は、上述すべてを含む。
【００６７】
添加物質の配合は、よって、潤滑粘度のベースオイルがミネラル油、合成油、植物油などの天然油、またはミネラル油と合成油などの混合物の組成物に使用できる。
【００６８】
好適なミネラル油は、ガルフ湾岸、中大陸、ペンシルベニア、カリフォルニア、アラスカ、中東、北海などを含む任意の資源の原油から精製された適切な粘度のものを含む。標準的な精油作業工程を、ミネラル油のプロセスに用いてよい。一般的に適した石油は、中性溶剤、ブライトストック、シリンダ油原料、残油、水素化分解基材油、ペール油および溶媒抽出されたナフテン油を含むパラフィン油である。かかる油とそれらのブレンドは、当業者に周知である数多くの既存技術により生産される。
【００６９】
上述のように、ベースオイルは基本的に一つまたはそれ以上の合成油を含むことができる。好適な合成油は、約Ｃ２−Ｃ１２オレフィンのホモ／共重合体、モノアルコールおよびポリオール類のカルボン酸、ポリエーテル類、シリコン、ポリグリコール類、シリカ、アルキル化芳香族、炭酸類、チオ炭酸類、オルトギ酸類、リン酸塩類、ホスファイト類、ホウ酸およびハロゲン化炭化水素である。このような油の代表例は、約Ｃ２−Ｃ１２モノオレフィン炭化水素のホモ／共重合体、アルキル化ベンゼン（例、ドデシルベンゼン、ジデシルベンゼン、テトラデシルベンゼン、ジノニルベンゼン、ジ（２エチルヘキシル）ベンゼン、ワックスアルキル化ナフタリン）、およびポリペニル類（例、ビフェニル類、テルフェニル類）である。
【００７０】
ヒドロキシル末端基がエーテル化、エステル化などにより変化したアルキレンオキシド重合体、インターポリマー類、およびその誘導体は別クラスの混合油を構成する。これら
は、エチレンオキサイドやプロピレンオキサイドなどのアルキレンオキシド、ポリオキシアルキレンポリマー（例、約１０００の質量平均分子量をもつメチルポリイソプロピレングリコールエーテル、約５００−１０００の質量平均分子量をもつポリエチレングリコールのジフェニルエーテル、約１０００−１５００の質量平均分子量をもつポリプロピレングリコールのジエチルエテール）のアルキルおよびアリールエーテルまたは、例えば、約Ｃ３−Ｃ６脂肪酸エステルを混ぜた酢酸エステルまたはテトラエチレングリコールのＣ１３オキソ酸ジエステルなどのモノ／ポリカルボン酸エステル類の重合作用を通して調製された油に例示される。
【００７１】
他の好適なクラスの合成油は、ジカルボン酸（例、フタル酸、琥珀酸、マレイン酸、アゼライン酸、スベリン酸、セバリン酸、フマル酸、アジピン酸、リノレイン酸ダイマー）のエステルと多様のアルコール（例、ブチルアルコール、ヘキシルアルコール、ドデシルアルコール、２エチルヘキシルアルコール、エチレングルコール）とから成る。これらのエステルの具体例として、アジピン酸ジブチル、ジ（２エチルヘキシル）アジピン、ジドデシルアジピン、ジ（２エチルヘキシル）セバテート、ジラウリルセバテート、ジｎヘキシルフマル酸、ジオクチルセバテート、ジイソオクチルアゼラート、ジイソデシルアゼラート、フタル酸ジオクチル、フタル酸ジデシル、ジ（エイコシル）セバテート、リノレイン酸ダイマーの２エチルヘキシルジエステル、およびセバシン酸の一色素をテトラエチレングリコールの二色素と２エチルヘキサン酸の二色素と反応させて形成された複合エステルがある。
【００７２】
合成油として使用されうるエステルは、約Ｃ３−Ｃ１２のモノカルボン酸とポリオールおよびネオペンチルグリコール、トリメチロールプロパン、ペンタエリスリトールおよびジペンタエリスリトールなどのポリオールエテールから作られたものも含む。トリメチロールプロパントリペラルゴン酸とペンタエリスリトールテトラカプロン酸がその例である。
【００７３】
ポリアルキル／ポリアリール／ポリアルコキシ／ポリアリールオキシシロキサンオイルなどのシリコン系オイルとシリケートオイルは、異なるクラスの合成潤滑油（例、テトラエチルシリケート、テトライソプロピルシリケート、テトラ（２エチルヘキシル）シリケート、テトラ（ｐｔブチルフェニル）シリケート、ポリ（メチル）シロキサンおよびポリ（メチルフェニル）シロキサン）である。他の合成潤滑油は、リン含有酸（例、リン酸トリクレシル、リン酸トリオクチル、亜リン酸トリフェニルおよびホスホン酸デカンのジエチルエステル）の液状エステルを含む。
【００７４】
また、ベースオイルまたはベースオイルの組成物として有用なのは、１デセンから形成された水素化または非水素化オリゴマーなどの約Ｃ６−Ｃ１６α−オレフィンの水素化または非水素化液状オリゴマーである。このような液状オリゴマー１アルケン炭化水素の生産方法は特許文献に公開されている。例として、米国特許第３，７４９，５６０、３，７６３，２４４、３，７８０，１２８、４，１７２，８５５、４，２１８，３３０、および４，９５０，８２２の例を参照のこと。これらの開示は参照することにより本明細書に組み込まれる。これらの組成物のブレンドは、与えられたベースオイルの粘度調整に使用される。周知のとおり、このタイプの水素化オリゴマーは、配合されているとしても微量の残留不飽和エチレンしか含まない。
【００７５】
好適なオリゴマーは、フリーデルクラフツ触媒（特に、水または約Ｃ１−Ｃ２０アルカノールにより促進された三フッ化ホウ素）使用後、上述の米国特許で開示された工程を使用して形成されたオリゴマーの触媒水素化により形成される。
【００７６】
好適な油性液体を提供する水素化上の１アルケン炭化水素のオリゴマー形成に使用され
うる別の触媒システムは、四塩化チタンを混合したセスキ塩化エチルアルミニウムなどのチーグラー触媒、アルキルアルミニウム触媒、シリカやアルミナ支持体上の酸化クロム触媒および、三フッ化ホウ素オリゴマー形成後に有機過酸化物処理をしたシステムを含む。
【００７７】
本開示によれば、一つまたはそれ以上の液体水素化１アルケンオリゴマーと他の好適な粘度をもつ油性物質とを混合したブレンドを使用することも可能である。ただし、そのできたブレンドが、適した融和性と望ましい物理的性質を持つことを条件とする。
【００７８】
ベースオイルは、フィッシャートロプシュ合成炭化水素、ガス／液体ストックおよび／または双方の混合物に由来してよい。フィッシャートロプシュ合成炭化水素は、フィッシャートロプシュ触媒を使用したＨ２とＣＯを含む合成ガスから作られる。そのような炭化水素は、一般的にベースオイルとして利用するにはさらなる工程が必要とされる。例えば、炭化水素は、米国特許第６，１０３，０９９もしくは６，１８０，５７５で開示されている工程を使用して水素異性化、米国特許第４，９４３，６７２もしくは６，０９６，９４０で開示されている工程を使用して水素化分解および水素異性化、米国特許第５，８８２，５０５で開示されている工程を使用してロウの除去、または米国特許第６，０１３，１７１、６，０８０，３０１、もしくは６，１６５，９４９で開示された工程を使用して水素異性化およびロウの除去をすることができる。
【００７９】
ベースオイルまたはベースオイルの成分としてベースオイルに使用される典型的な天然油には、ヒマシ油、オリーブ油、ピーナッツ油、ナタネ油、コーン油、胡麻油、綿実油、大豆油、ヒマワリ油、ベニバナ油、大麻油、アマニ油、キリ油、オイチシカ油、ホホバ油などが含まれる。このような油は、必要に応じて一部または全体を水素化してよい。
【００８０】
本開示の組成物で使用したオイルは、（１）一つまたはそれ以上のミネラル油、（２）一つまたはそれ以上の合成油、（３）一つまたはそれ以上の天然油、または（４）（１）と（２）のブレンド、（１）と（３）のブレンド、（２）と（３）のブレンドもしくは（１）、（２）および（３）のブレンドから成るが、これらの多様な種類の油は、必ずしもそれぞれ同等とは限らない。ある一定のベースオイルは、高温安定性、非引火性または特定金属（例、銀やカドミウム）への低腐蝕性など、それらの有する特定の性質に合わせて、一定の組成物に使用されてよい。他の組成物においては、入手が容易で低コストという理由から他の種のベースオイルが好適である場合がある。ゆえに当業者であれば、上述した様々なタイプのベールオイルを様々な実施例で使用することができる一方で、それぞれがいつも機能的に同等とは限らないことを認識するであろう。
【使用方法】
【００８１】
本開示の添加組成物および／または潤滑液は、自動トランスミッションの潤滑方法、更に具体的には、複数の湿式クラッチを使用し、トルクコンバータを装備していないＤＣＴなどのＤＣＴ潤滑方法に使用することができる。
【００８２】
本開示は、
（ａ）無灰分散剤、
（ｂ）摩擦調節剤、
（ｃ）ホスホネート
を含有する潤滑液を用いたトランスミッションの潤滑に関わる。本流体は、実質的に無亜鉛であり、スチール間摩擦の向上、スチール／ペーパー間摩擦および／またはシンクロナイザー性能の安定性を提供する。
【実施例】
【００８３】
テスト流体は、目標ベースストックで調整された。完全配合された流体は、以下に示す
割合で成分を加えることにより調製された。
【００８４】
【表１】
2006328393.tif 000006
【００８５】
使用した分散剤は、スクシンイミド分散剤であり、ホウ素および／またはリンを含有していても、含有していなくてもよい。摩擦調節剤は、Ｃ１８−Ｃ２４アルケニル基のスクシンイミドである。ＤＭＯＰはジメチルオクタデシルホスホン酸である。摩擦条件に適合するよう、さらに摩擦調節剤追加して使用してよい。
【００８６】
分散剤と摩擦調節剤は適切なトルク能力を与える。分散剤とスクシンイミド摩擦調節剤を含む流体組成物が、摩擦耐久性の向上のために開発された。図１は、スクシンイミド分散剤とスクシンイミド調整剤を含む流体Ａ（表２）の摩擦特性を熱老化の前後で比較したものである。
【００８７】
熱老化は、機械的撹拌器を装備した丸底フラスコ中の流体を１６０℃で１９２時間、加熱することにより実施された。温熱ストレスを加えられた流体は良好な摩擦耐久性を示し、未処理の流体と比較可能な摩擦レベルと傾斜特性の双方を維持したことから、流体は温熱ストレスに耐えられると言えるだろう。
【００８８】
【表２】
2006328393.tif 000007
【００８９】
組成物に使用された洗浄剤は、超塩基化Ｃ１４−Ｃ２４α−オルフィンカルシウムスル
ホン酸洗浄剤である。摩擦調節剤はＣ１８−Ｃ２４アルケニル基をもつスクシンイミドである。ＤＭＯＰはジメチルオクタデシルホスホン酸である。ＤＭＯＰを配合した摩擦調節剤は、卓越したシンクロナイザー性能をもつ。
【００９０】
二種類の耐摩耗剤、分散剤、摩擦調節剤とベースストックからなる流体（表３）のマトリックスは、合成流体で同じ摩擦調節剤／ＤＭＯＰ配合が、黄銅コーンを使用したＳＳＰ-１８０シンクロナイザーテストにおいて１０万サイクルという卓越したシンクロナイザー性能を与えられることを示した。
【００９１】
ＳＳＰ-１８０試験台は、ミュンヘンの工科大学のギア研究所（Ｇｅａｒ  Ｒｅｓｅａｒｃｈ  Ｉｎｓｔｉｔｕｔｅ  ａｔ  ｔｈｅ  Ｔｅｃｈｎｉｃａｌ  Ｕｎｉｖｅｒｓｉｔｙ  ｏｆ  Ｍｕｎｉｃｈ）で開発された。これにより、様々なマニュアルトランスミッションの完全シンクロナイザー装置（直径１８０ｍｍまで）の装着および試験が可能である。正常なトランスミッション使用での負荷条件のシュミュレーションを、試験時に行う。試験台は、電気モータ、二つのフライホイール、油圧作動装置、加熱循環装置およびテストボックスから成る。大型主フライホイールは、一定で安定した速度を確保するためにベルトおよびプーリの連結を介して電気モータに接続されている。小型フライホイールは、シンクロナイザーがゼロ速度（Ａポジションに変更）に減速、または一定速度（Ｂポジションに変更）に加速する負荷である。これは、テストボックスに装着されたリングおよびコーンシンクロナイザーにより行われる。後部ユニットは負荷フライホイールを同期速度に加速し、前部ユニットはフライホイールをゼロ速度に減速する。油圧作動装置は一方のユニットを接続し、他方のユニットを切り離すシフトホークを移動する。変更時、温められた潤滑剤が双方のシンクロナイザーユニットに吹き付けられる。これらのユニットを数千作動させることにより、シンクロナイザーの耐久性が試される（ｈｔｔｐ：／／ｗｗｗ．ｓｗｒｉ．ｏｒｇ／３ＰＵＢＳ／ＢＲＯＣＨＵＲＥから採用）。
【００９２】
【表３】
2006328393.tif 000008
【００９３】
シンクロナイザー試験における優れたシンクロナイザー性能および耐摩耗保護に加えて、ＤＭＯＰは、ＡＳＴＭ  Ｄ-３２３３およびＤ-２７８３によるファレックスＥＰ（極圧）および４ボールＥＰを使用した測定で、卓越した極圧性能を示した。ＡＳＴＭ  Ｄ-３２３３の性能は、試験表面がある一定の温度で与えられた負荷により停止する時の最大負荷を判定するために測定された。ＡＳＴＭ  Ｄ-２７８３は、３個の固定されたボールに対して回転する鋼球の溶接点を測定する。表４は、ＤＭＯＰを含有しない類似した組成物と比較した０．２５％ＤＭＯＰでの性能の向上を示す。
【００９４】
【表４】
2006328393.tif 000009
【００９５】
明細書および請求項を通して使用される単数形は、単数形または複数形を意味する場合がある。特に指示がない限り、明細書および請求項に使用される成分量や、分子重量、比率、割合、反応条件などの性質を表す全ての数字は、常に「約」というニュアンスを含む。従って、特に明記がない限り、明細書および請求項で表される数値パラメータは、本開示で得られるであろう所望の性質によって変化する近似値である。少なくとも、本請求項の範囲での同等技術の適用を制限するものではなく、各数値パラメータは少なくとも、報告された有効桁数をふまえ、また通常の端数切捨方法を適用して解釈されなければならない。本開示の広範囲を定義する数値範囲およびパラメータは近似値であるが、特定の実施形態に記載の数値は、可能な限り厳密に報告されている。しかし、各試験測定でみられる標準偏差により、数値は、本質的に、必然的な一定のエラーを含む。
【００９６】
本開示は、図と実施例で詳細を説明したが、実施例は様々な修正および変更形態に柔軟に対応でき、本明細書で述べた特定の実施形態に限定されないことを理解すべきである。これらの特定の実施形態は、本発明を限定するものではなく、反対に、その意図は、本発明の精神および範囲内に入る全ての修正形態、同等形態および代替形態をカバーすることである。
【００９７】
本発明の主な特徴及び態様を挙げれば以下のとおりである。
１．潤滑用流体を用いた二段クラッチトランスミッションの潤滑方法であって、
（ａ）無灰分散剤、
（ｂ）摩擦調節剤、
（ｃ）ホスホネート、
（ｄ）ベースオイル
を含む実質的に無亜鉛の潤滑用流体で二段クラッチトランスミッションを潤滑するステップを有する、二段クラッチトランスミッションの潤滑方法。
２．前記ベースオイルが、天然潤油、複数の天然潤滑油の混合物、合成油、複数の合成油の混合物、または天然油と合成油の混合物から成る、上記１に記載の方法。
３．前記分散剤がホウ素を含有する、上記１に記載の方法。
４．前記ホウ素含有分散剤が約０．１−０．７重量％のホウ素を含む、上記３に記載の方法。
５．前記分散剤がリンを含有する、上記１に記載の方法。
６．前記分散剤がリンとホウ素を含有する、上記１に記載の方法。
７．前記分散剤が最高合計４００ｐｐｍのリン酸とホウ素を含有する、上記６に記載の方法。
８．前記ホスホネートが、以下の化学式
【００９８】
【化５】
2006328393.tif 000010
【００９９】
（式中、Ｒ１は約１２−３０個の炭素原子を含むアルキル基またはアルケニル基であり、Ｒ２とＲ３のそれぞれが独立的に水素、アルキル基またはアルケニル基である）を有するホスホン酸からなるグループから選択される、上記１に記載の方法。
９．前記ホスホネートが、ジメチルトリアコンチルホスホン酸、ジメチルトリアコンテニルホスホン酸、ジメチルエイコシルホスホン酸、ジメチルへクタデシルホスホン酸、ジメチルへクタデセニルホスホン酸、ジメチルテトラコンテニルホスホン酸、ジメチルへクタコンテニルホスホン酸、ジメチルドデシニルホスホン酸、ジメチルドデセニルホスホン酸、ジメチルヘクタデシルホスホン酸、ジメチルへクタデセニルホスホン酸、ジメチルオクタデシルホスホン酸、ジメルオクタデセニルホスホン酸、ジメチルエイコシルホスホン酸からなるグループからから選択される、上記８に記載の方法。
１０．前記ホスホネートが、Ｒ１が約１６−２０個の炭素原子を含むアルキル基またはアルケニル基であるホスホン酸からなるグループから選択される、上記８に記載の方法。
１１．前記ホスホネートが、ジメチルオクタデシルホスホン酸を含有する、上記８に記載の方法。
１２．前記潤滑組成物が、前記潤滑組成物の全重量の約０．０５−３重量％のホスホネートを含む、上記１に記載の方法。
１３．前記二段クラッチトランスミッションのギア変更動作が、作動位置および不作動位置のパーシャルトランスミッションシャフトのシンクロナイゼーションを含む、上記１に記載の方法。
１４．前記潤滑用流体が、最低一つの硫黄を含有する化合物を更に含む、上記１に記載の方法。
１５．（ａ）無灰分散剤、
（ｂ）摩擦調節剤、
（ｃ）ホスホネートおよび
（ｄ）ベースオイルを含み、
実質的に無亜鉛である、二段クラッチトランスミッション用流体。
１６．前記ベースオイルに天然潤滑油、複数の天然潤滑油の混合物、合成油、複数の合成油の混合物、または天然および合成油の混合物を含む、上記１５に記載のトランスミッション用流体。
１７．前記分散剤がホウ素を含有する、上記１５に記載のトランスミッション用流体。
１８．前記ホウ素含有分散剤が約０．１−０．７重量％のホウ素を含む、上記１７に記載のトランスミッション用流体。
１９．前記分散剤がリンを含む、上記１５に記載のトランスミッション用流体。
２０．前記分散剤がリンとホウ素を含む、上記１５に記載のトランスミッション用流体。２１．前記分散剤が最高合計４００ｐｐｍのリンとホウ素を含有する、上記２０記載のトランスミッション流体。
２２．前記ホスホネートが、以下の化学式
【０１００】
【化６】
2006328393.tif 000011
【０１０１】
（式中、Ｒ１は約１２−３０個の炭素原子を含むアルキル基またはアルケニル基であり、Ｒ２とＲ３のそれぞれが独立的に水素、アルキル基またはアルケニル基である）を有するホスホン酸からなるグループから選択される、上記１５に記載のトランスミッション用流体。
２３．前記ホスホネートが、ジメチルトリアコンチルホスホン酸、ジメチルトリアコンテニルホスホン酸、ジメチルエイコシルホスホン酸、ジメチルへクタデシルホスホン酸、ジメチルへクタデセニルホスホン酸、ジメチルテトラコンテニルホスホン酸、ジメチルへクタコンチルホスホン酸、ジメチルドデシニルホスホン酸、ジメチルドデセニルホスホン酸、ジメチルヘクタデシルホスホン酸、ジメチルへクタデセニルホスホン酸、ジメチルオクタデシルホスホン酸、ジメルオクタデセニルホスホン酸、ジメチルエイコシルホスホン酸からなるグループから選択される、上記２２に記載のトランスミッション用流体。
２４．前記ホスホネートが、Ｒ１が約１６−２０個の炭素原子を含むアルキル基またはアルケニル基であるホスホン酸からなるグループから選択される、上記２２に記載のトランスミッション用流体。
２５．前記ホスホネートが、ジメチルオクタデシルホスホン酸を含有する、上記２２に記載のトランスミッション用流体。
２６．前記潤滑組成物が、前記潤滑組成物の全重量の約０．０５−３重量％のホスホネートを含む、上記１５に記載のトランスミッション用流体。
２７．前記潤滑組成物が、最低一つの硫黄含有化合物を更に含む、上記１５に記載のトランスミッション用流体。